(57)【要約】      （修正有）【課題】街灯のない、あるいは街灯から遠くにあっても見やすく、柔らかな光源を有するとともに、犯罪予防・犯人調査に効果のある、防犯用小型監視カメラを組込んだバス停留所案内表示板を提供する。【解決手段】バス停留所案内表示板１は、太陽電池ブロック２の中に、エネルギ−を取込むための太陽電池、エネルギ−を貯蔵するための蓄電池、及び、周囲の明るさを検知する明暗スイッチを持ち、左右側面から抱え込む様に配列した、ＬＥＤランプブロック３を持つ。防犯用小型監視カメラブロック４は、太陽電池ブロック２の下に組込み、最大４辺の監視機能をもつ。【選択図】図１
0003207338.tif 000002
【実用新案登録請求の範囲】
【請求項１】
エネルギ−を取り込む太陽電池パネル、エネルギ−を蓄える蓄電池、周囲の明るさを検知する明暗スイッチを持ち、バス停留所案内表示板を左右の側面から抱え込む様に配列したＬＥＤランプからなるバス停留所案内表示板。
【請求項２】
犯罪の発生予防、犯人逮捕に効果の著しい、防犯用小型監視カメラを持つバス停留所案内表示板。
【考案の詳細な説明】
【技術分野】
【０００１】本考案は、バス停留所案内表示板に太陽エネルギ−を蓄積する仕組みを与えＬＥＤランプを利用してバス停留所案内表示板に、街路灯の機能を持たせあわせて、防犯用小型監視カメラを持つ、バス停留所案内表示板に関するものである。
【背景技術】
【０００２】バス停留所案内表示板は路線バスに関して、そのバス停の名前の案内はもとより、出発地・目的地の案内、経路案内、到着予定時間案内など利用者にとって役に立つ表示板であるが、夜間になり、街灯などの光源が無い場合にはせっかくの案内情報が読めず、役に立ってはいない。
またバス停留所が暗く、交通量の少ない場所にある場合には利用者に不安や危険さを感じさせている事例が少なくなく、犯罪予防の観点からも決して好ましい状況ではない。
【考案の概要】
【０００３】街中、あるいは市街地にどこでも見受けるバス停留所案内表示板に、見やすく、柔らかな光源を付けて、街灯の機能を与え、更に、防犯用小型監視カメラを持つことで安心・安全な環境をととのえ、犯罪の発生防止にも役立つ機能を与える様にしたものである。
【考案が解決しようとする課題】
【０００４】夜でも見やすく、また、安心できる環境を整えるための根本的な解決策はバス停留所に街灯を設置することである。
しかしながら、交通量の多い、繁華街に設置されている場合はともかくとしてもすべてのバス停留所に電線を引き、街灯を設置する事は費用と手間からみて実現不可能である。
また、犯罪の発生防止、犯人逮捕に効果のある防犯用監視カメラの設置もカメラの取付場所を得るには、個々に建築物の所有者の了解を得ることが必要であり、有用な監視網を自由に設定出来にくい状況にある。
【課題を解決する為の手段】
【０００５】そこで本考案では太陽エネルギ−を有効利用する。まず，このエネルギ−の取り込み、貯蔵、エネルギ−有効活用のためのスイッチと制御系を持ち、光源としては明るく、エネルギ−消費量の少ないＬＥＤランプを効果的に配列することで遠くからでも見やすく明るい、安心できる街灯を実現することが出来る。
あわせて、組み込んだ防犯用小型監視カメラも太陽エネルギ−で動作させる。
【考案の効果】
【０００６】太陽電池とバッテリ−のエネルギ−を、周囲の明るさに対応して自動的に点滅出来る仕組みを組み込んだことでエネルギ−の効率的な利用が出来、ＬＥＤの配列の工夫で見やすく、街路灯の役目を果たすことのできる、柔らかな照明が実現できる。
また、この太陽エネルギ−を利用して、組込んだ防犯用小型監視カメラを動作させることで設置場所に悩むことなく犯罪防止に役立つバス停留所案内表示板が完成する。
【図面の簡単な説明】
【０００７】
【図１】バス停留所案内表示板本体に、太陽電池ブロック、ＬＥＤランプブロックおよび、防犯用小型監視カメラブロックを組み込んだ本考案の正面図である。
【図２】本考案のバス停留所案内表示板の側面図である。
【図３】太陽電池ブロックの上面図である。太陽エネルギ−を創り出すための太陽電池パネル、周囲の明るさを感知する明暗スイッチ、エネルギ−制御のための制御ユニットをケースに収納している。
【図４】太陽電池ブロックの側面図である。太陽電池パネル、明暗スイッチ、制御ユニットがケースに収納され、さらにエネルギ−を蓄積するための蓄電池と上面の透明カバ−を示す。
【図５】バス停留所案内表示板本体に取り付けたＬＥＤランプブロックの詳細を示す。（右側）ＬＥＤ取付基板にＬＥＤ素子を取り付けた後、透明なポリカ−ボネ−トレンズでＬＥＤ素子を覆い、金属製のホルダ−に取りつけた後、バス停留所案内表示板に固定される。
【図６】バス停留所案内表示板本体に取り付けたＬＥＤランプブロックの詳細（左側）を示す。
【図７】ＬＥＤランプブロックの側面図を示す。ＬＥＤ取付基板にＬＥＤ素子を取り付け、これを透明なポリカ−ボネ−トレンズで覆った後、ホルダ−に取り付けた構造である。
【図８】防犯用小型監視カメラブロックの上面図を示す。
【図９】防犯用小型監視カメラブロックの側面図を示す。
【考案を実施するための形態】
【０００８】以下、本発明の実施の形態について、図面を参照にしつつ、詳細に説明すればまず、太陽エネルギ−を太陽電池ブロック（２）の太陽電池パネル（５）で捉えこのエネルギ−を蓄電池（８）で蓄える。
【０００９】エネルギ−の有効活用を実現するために、周囲の明るさを感知して動作する、すなわち、暗くなればスィッチが入り、明るくなればスイッチが切れる明暗スイッチ（６）と動作条件をきめ細かく制御する制御ユニット（７）を持つ。
【００１０】ＬＥＤ取付基板（１２）に取付けられたＬＥＤ素子（１１）を覆う透明ポリカ−ボネ−トレンズ（１３）を組み込んだホルダ−（１４）がバス停留所案内表示板（１）の左右の側面から、バス停留所案内表示板を包み込む形で取り付けられている。
【００１１】バス停留所案内表示板（１）の上部に取付けられた太陽電池ブロック（２）でエネルギ−が蓄積され、周囲の明るさを感知して暗くなればこのエネルギ−が自動的にバス停留所案内表示板の左右に取付けられた、白色のＬＥＤランプブロック（３）に供給され、バス停留所案内表示板の表面２面（表・裏）を柔らかく、明るく照らす。周囲が明るくなれば自動的に照明は止まる。
【００１２】暗くなれば自動的に点灯し、明るくなれば自動的に消灯する。
バス停留所案内表示板の側面、左右からバス停留所案内表示板の表裏の２面を柔らかく、明るく照明することで街灯の機能を持った、バス停留所案内表示板が利用者、通行人の不安をやわらげ、大きな安心感を与えることが出来る。
【００１３】太陽電池ブロック（２）の下に位置する、防犯用小型監視カメラブロック（４）は引出し構造の収納ケ−ス（２０）（２１）の中に、防犯用小型監視カメラ（１６）と記録・制御ユニット（１７）、及び蓄電池（１８）を持つ。
【００１４】防犯用小型監視カメラ（１６）は、最大４辺に配置することが可能であり、監視したい方向・範囲を広く選べることができる。
図１、図２、図８、図９は２方向への防犯用小型監視カメラの配置例である。
映像の撮影時間は、記録・制御ユニット（１７）で設定出来することが出来、記録の取出しは必要に応じて、引出し構造の収納ケ−ス（２１）を引出すことで簡単に出来る。
【００１５】  １  バス停留所案内表示板本体
２  太陽電池ブロック
３  ＬＥＤランプブロック
４  防犯用監視カメラブロック
５  太陽電池パネル
６  明暗スイッチ、
７  制御ユニット
８  蓄電池（ニッケル水素電池）
９  透明カバ−（アクリル、ポリカ−ボネ−ト等）
１０  収納ケース  太陽電池パネル（亜鉛メッキ済鉄板等）
１１  ＬＥＤ素子
１２  ＬＥＤ取付基板
１３  ポリカ−ボネ−トレンズ
１４  ホルダ−（亜鉛メッキ済鉄板等）
１５  取付穴
１６  防犯用小型監視カメラ
１７  記録・制御ユニット
１８  蓄電池（ニッケル水素電池）
１９  カバ−レンズ（透明）
２０  収納ケ−ス１（亜鉛メッキ済鉄板等）
２１  収納ケ−ス２（亜鉛メッキ済鉄板等）
【図１】
0003207338.tif 000003
【図２】
0003207338.tif 000004
【図３】
0003207338.tif 000005
【図４】
0003207338.tif 000006
【図５】
0003207338.tif 000007
【図６】
0003207338.tif 000008
【図７】
0003207338.tif 000009
【図８】
0003207338.tif 000010
【図９】
0003207338.tif 000011
【手続補正書】
【提出日】平成28年8月10日(2016.8.10)
【手続補正２】
【補正対象書類名】実用新案登録請求の範囲
【補正対象項目名】全文
【補正方法】変更
【補正の内容】
【実用新案登録請求の範囲】
【請求項１】
エネルギ−を取り込む太陽電池パネル、エネルギ−を蓄える蓄電池、周囲の明るさを検知する明暗スイッチを持ち、バス停留所案内表示板を左右の側面から抱え込む様に配列したＬＥＤランプを備えた、バス停留所案内表示板。
【請求項２】
防犯用小型監視カメラを持つ、請求項１に記載の、バス停留所案内表示板。